(57)【要約】 【課題】  正確な竿の移動操作と平行保持が出来、且つ一対の竿帯で複数本の移動竿の移動と保持が出来る堅牢で簡明な竿移動保持装置のブラインドを得る。  【解決手段】  上部竿と下部の移動竿とを細い歯付ベルトのような正確な幅と厚みを有し抗弛み性のある竿帯により保持し、該竿帯を一方の竿内に設けた筒体等への巻取りあるいは移動竿内に設けた移動歯車により移動竿の移動と保持を行う。  【選択図】        図１７
2005133287.tif 000002
【特許請求の範囲】
【請求項１】
上部竿と該上部竿の下部で一対の竿保持体により上部竿との間で相対移動可能に保持される少なくとも一本の移動竿と相対する前記竿間に垂下される羽保持紐に保持される少なくとも一面の水平遮蔽羽の遮蔽調節面を備えるブラインドにおいて、上部竿（１、１ａ，１ｂ，１ｃ、２ｄ）と移動竿（２，２ｂ，２ｃ，５４ａ）の間に一対の歯付ベルトのような刻み目付の竿帯（３、３ａ，３ｂ，３ｃ、３ｄ）を設け少なくとも前記上部竿と前記移動竿のいずれか一方の竿側に前記竿帯の一方の端側を保持する竿移動保持装置（６，６ａ，６ｂ，６ｃ、６ｄ、６ｅ、６ｆ）を設け他方の竿側に前記竿帯の他方の端側を結合手段（２２ｂ、２２ｃ、２２ｄ）を介して結合し前記竿帯を介して前記上部竿と前記移動竿間の相対移動と保持を行うことを特徴とする水平遮蔽羽のブラインド。
【請求項２】
竿内に軸受に回転自在に保持されその一部に竿操作手段（７０，７０ａ、７０ｂ、７０ｃ）を結合された水平軸（９，９ａ，９ｂ，９ｃ）と前記水平軸上に軸方向移動自在かつ同時回転に保持される一対の筒体（１０，１０ａ，１０ｂ、１０ｃ）と各々その一方端側を対応する前記筒体の外周に螺旋状に巻かれその他方端側を他方の竿の対応する位置に結合手段により結合された一対の竿帯（３、３ａ，３ｂ，３ｃ）を含む竿移動保持装置（６，６ａ，６ｂ，６ｃ）を備えることを特徴とする請求項１記載の水平遮蔽羽のブラインド。
【請求項３】
竿内に軸受に回転自在に保持されその一部に竿操作手段（７０ｄ、７０ｅ）を結合された水平軸（５９、５９ａ、５９ｂ）と上部竿（１ｃ、２ｄ）より垂下される一対の竿帯（３ｃ、３ｄ）と前記水平軸上の前記竿帯に対応する位置に固定されて前記一対の竿帯に噛合う一対の移動歯車（６１、６１ａ、６１ｂ）を含む竿移動保持装置（６ｄ、６ｅ、６ｆ）を備えることを特徴とする請求項１記載の水平遮蔽羽のブラインド。
【請求項４】
帯体（３、２６′）の筒体（１０、１０′）への巻き付け部位に少なくとも背案内面（１６、１６′）を有する帯案内体（１７、１７′）を設けたことを特徴とする請求項２記載の水平遮蔽羽のブラインド。
【請求項５】
筒体（１０、１０ｂ、１０′）の前方側より竿帯巻き付け部位近くに至る長さの竿帯巻付け部の外側を囲む内筒部を有する案内筒（１８、１８ｂ、１８′）を含むことを特徴とする請求項２記載の水平遮蔽羽のブラインド。
【請求項６】
筒体（１０ａ）の外周に小さくとも竿帯（３ａ）の巻付けリードに合致したネジ溝（４６）を設けると共に前記竿帯の巻付け部位の後方側に前記ネジ溝に適合して嵌まるメネジ部を有する筒送りナット（４７）を固定に設けたことを特徴とする請求項２記載の水平遮蔽羽のブラインド。
【請求項７】
水平軸（９）の一部に固定された操作歯車（２５）とその内周に前記操作歯車の歯に対応する刻み目を有し前記操作歯車の外周に噛合わされて掛けられ引き側（３１）と弛み側（２９）を有する手繰り帯（２６）と前記操作歯車の下位の且つ前記手繰り帯の内側位置に案内手段（９）により揺動可能に保持され前記手繰り帯の前記緩み側で操作され竿の重力で前記手繰り帯を前記操作歯車と前記表壁面（３２）との間でロックする戻り止片（３４）を有する竿操作手段（７０）を含むことを特徴とする請求項２および３記載の水平遮蔽羽のブラインド。
【請求項８】
上部竿（１ｃ）と前記上部竿の下部の下部移動竿（２ｃ）の間の一対の刻み目付き竿帯（３ｃ）上に竿移動保持装置（６ｄ）を備える第一中間竿（５４）と竿移動保持装置（６ｅ）を備える第二中間竿（５５）を設け前記上部竿と前記第一中間竿間に上部羽保持紐に保持された上部水平遮蔽羽からなる上部遮蔽調節面を前記第二中間竿と前記下部移動竿間に下部羽保持紐に保持された下部水平遮蔽羽からなる下部遮蔽調節面を前記第一中間竿と前記第二中間竿間に任意に間隔調節可能な眺望遮蔽調節面を設けたことを特徴とする請求項１および２記載の水平遮蔽羽のブラインド。
【発明の詳細な説明】
【技術分野】
【０００１】
本発明は、建物の窓部に面して上部に設けた上部竿の下に上下に移動調節の出来る移動竿を有し、該上部竿と移動竿間に多数の水平遮蔽羽（スラット）を備え、これら多数の遮蔽羽を各々その水平軸線の周りに一斉に回動せしめてその傾きの方向とその傾きの強弱によって遮蔽機能の調節を行うようにした遮蔽調節面を備えるブラインドに関し、特に移動竿の移動と保持のための新規な竿移動保持装置並びに該竿移動保持装置からなる新規なブラインドに関する。
【背景技術】
【０００２】
従来、ブラインドの移動竿は上部の固定竿内に設けた竿移動装置より垂下された昇降紐や薄い金属性テープにより上下の調節と保持が行われるものが一般に広く普及している。
また、ブラインドの両端側にチェインやベルトあるいはラック状のものを設けて移動竿を上下に移動せしめ、且つ保持せしめるようにしたブラインド等がこれまで提案されている。
さらに、この種のブラインドには、採光や眺望と部屋内部の目隠しという相反する課題を解決すべく、ブラインドを上下に分離して独立して操作するもの、遮蔽羽の傾きを部分的に操作するもの、あるいはブラインド面の上部や中間部を開けられるもの等これまで多くの提案がなされてきた。
【発明の開示】
【発明が解決しようとする課題】
【０００３】
従来の固定竿内の移動保持装置よりブラインド面内を垂下した昇降紐や薄いテープにより移動竿の移動と保持を行うものは、移動竿と遮蔽羽の重量により昇降紐等が張られている。昇降紐等は伸びやすく且つ弛みに対する抵抗力がなく竿の水平維持の調整が難しい。従って、移動の正確さや確実性の点でも十分でない。昇降紐や薄いテープは弛みによるトラブルを起こしやすい等の欠点がある。さらに、面内に複数本の移動竿を備え上下に独立した複数の遮蔽調節面を有するものでは、昇降紐の数が増え複雑になる欠点がある
本発明の目的は、この種のブラインドにおける前述のような欠点に鑑み、移動竿の正確で安定した平行保持と静粛で滑らかな昇降移動操作の出来る竿移動保持装置を備えるブラインドを提供するにある。
本発明の他の目的は同一大量生産に適した構造からなり、保持体の弛みによるトラブル等を起し難い堅牢で耐久性に優れた竿移動保持装置を備えるブラインドを提供するにある。
本発明のさらに他の目的は複数の移動竿の移動と保持に適した竿移動保持装置を備え、自由な新しい遮蔽パターン面を持ったブラインドを提供するにある。
本発明のさらに他の目的は、窓部におけるその高さ位置並びにその開き量の設定が簡単、且つ細かに出来る眺望遮蔽調節面を備えるブラインドを提供するにある。
【課題を解決するための手段】
【０００４】
上記目的を達成するために、本発明のブラインドにおいては、上部竿と該上部竿の下部で一対の竿保持体により上部竿との間で相対移動可能に保持される少なくとも一本の移動竿と相対する前記竿間に垂下される羽保持紐に保持される少なくとも一面の水平遮蔽羽の遮蔽調節面を備えるブラインドにおいて、上部竿と移動竿の間に一対の歯付ベルトのような刻み目付の竿帯を設け少なくとも前記上部竿と前記移動竿のいずれか一方の竿側に前記竿帯の一方の端側を保持する竿移動保持装置を設け他方の竿側に前記竿帯の他方の端側を結合手段を介して結合し前記竿帯を介して前記上部竿と前記移動竿間の相対移動と保持を行うものである。
【０００５】
また、竿内に軸受に回転自在に保持されその一部に竿操作手段を結合された水平軸と前記水平軸上に軸方向移動自在かつ同時回転に保持される一対の筒体と各々その一方端側を対応する前記筒体の外周に螺旋状に巻かれその他方端側を他方の竿の対応する位置に結合手段により結合された一対の竿帯を含む竿移動保持装置を備えることも出来る。
【０００６】
竿内に軸受に回転自在に保持されその一部に竿操作手段を結合された水平軸と上部竿より垂下される一対の竿帯と前記水平軸上の前記竿帯に対応する位置に固定されて前記一対の竿帯に噛合う一対の移動歯車を含む竿移動保持装置を備えることも出来る。
【０００７】
帯体の筒体への巻き付け部位に少なくとも背案内面を有する帯案内体を設けることが好ましい。
【０００８】
筒体の前方側より竿帯巻き付け部位近くに至る長さの竿帯巻付け部の外側を囲む内筒部を有する案内筒を設けることがより好ましい。
【０００９】
筒体の外周に小さくとも竿帯の巻付けリードに合致したネジ溝を設けると共に前記竿帯の巻付け部位の後方側に前記ネジ溝に適合して嵌まるメネジ部を有する筒送りナットを固定に設けることも出来る。
【００１０】
水平軸の一部に固定された操作歯車とその内周に前記操作歯車の歯に対応する刻み目を有し前記操作歯車の外周に噛合わされて掛けられ引き側と弛み側を有する手繰り帯と前記操作歯車の下位の手繰り帯の前記弛み側の内側位置に前記操作歯車の周りで案内手段により揺動可能に保持され前記緩み側で操作され竿の重力で前記手繰り帯を前記操作歯車と前記表壁面との間でロックする戻り止片を有する竿操作手段を設けるころが出来る。
【００１１】
上部竿と前記上部竿の下部の下部移動竿の間の一対の刻み目付き竿帯上に竿移動保持装置を備える第一中間竿と竿移動保持装置を備える第二中間竿を設け前記上部竿と前記第一中間竿間に上部羽保持紐に保持された上部水平遮蔽羽からなる上部遮蔽調節面を前記第二中間竿と前記下部移動竿間に下部羽保持紐に保持された下部水平遮蔽羽からなる下部遮蔽調節面を前記第一中間竿と前記第二中間竿間に任意に間隔調節可能な眺望遮蔽調節面を設けたブラインドを得ることが出来る。
【００１２】
筒体の竿帯巻き始め側の端部に竿帯の刻み目に合致した刻み目で竿帯の巻付けリード角に合致した傾き角度のハスバ歯の溝の保持溝手段を設けるとよい。
【００１３】
移動竿の水平軸上の移動歯車と刻み目付竿帯の噛合い部位の前記刻み目付竿帯の背面側に巻付け案内面を備える案内片を設けることが望ましい。
【００１４】
本発明において、帯体（竿帯及び操作帯）は一定の正確な幅と厚みを有し強い腰と柔軟性を備える例えば細い歯付ベルトのような平たい帯状体を云う。
しかし、該竿帯の断面形状は限定的されず、角形に近いものでもよく圧縮、引張りに対して変形せず強い抗力を有するものである。又、必ずしも限定されないが歯付ベルトのようにその表面ないし裏面あるいは両面に一定のピッチの刻み目が設けられている。この刻み目は竿帯の厚みに比較した曲げの柔軟性を得ると共に、歯車による移動を可能にする。
【発明の効果】
【００１５】
帯体が寸法精度が高く、引張りと圧縮に強く、折れ難い歯付ベルトのようなもので造られるから、竿の正確な安定した平行保持がなされる。又、柔軟性に富んだ硬質のゴム材やプラスチック材からなるので、操作が静粛で滑らかである。
帯体が正確な幅と一定の厚みを有しており、且つ柔軟性を有するので細い筒体への螺旋状巻きが可能で細い竿寸法を可能にする。
構成部品は大量生産に適した単純なものであり、堅牢で耐久性に優れた竿移動保持装置を得ることが出来る。
一対の竿帯上に複数の移動竿を設けることが可能で、例えば上下の独立した遮蔽調節面の間に眺望遮蔽調節面を備えるブラインドなど自由なパターンのブラインドの設定が可能となる等の効果が得られる。
【発明を実施するための最良の形態】
【００１６】
竿保持体として細い歯付ベルトをブラインド面内を通して設け移動竿の上下移動と保持に用いることで、水平保持が正確で、静粛で、堅牢な竿移動保持装置が得られる。又、一対の竿帯で複数本の移動竿を保持することが出来、新しいパターンのブラインドが可能となる。
【実施例１】
【００１７】
図１〜９において、窓枠の上部の壁に金具等を介して固定に取り付けられている上部竿1の下には移動竿２が上部竿1から垂下されている一対の竿帯３により所望の間隔で保持されている。上部竿１から移動竿２に垂下される一対の羽保持紐４には水平遮蔽羽５が保持されている。竿帯３は水平遮蔽羽５の帯孔を通って移動竿２に至っている。上部竿1内には竿移動保持装置６が設けてある。
上部竿1内には軸受７と８に支持される一本の水平軸９が設けてある。該水平軸９は四角の軸断面を有している。水平軸９上には竿帯３に対応する位置に一対の筒体１０がその軸心の四角孔で水平軸上を滑り移動可能且つ軸と同時回転するように設けてある。竿帯３は正確な幅と厚さの強靭で柔軟な平形の帯材からなっている。ここではその表面側に刻み目を有する歯付ベルトである。その先端は図４〜５に示すように、筒体１０の巻き始め側に形成される保持溝２２により固定される。筒体１０の端面に円形の窪み部１２が設けてある。該窪み部１２の中心部分は四角孔の外側を囲むように底部より四角形のボス状に突出する突部１３になっている。帯固定駒１１は外周に竿帯３と合致した刻み目で竿帯の巻付けリード角に合致した傾き角度のハスバ歯の歯車で中心部分は突部１３に嵌まる四角孔になっており、突部１３に止め輪で固定されている。帯固定駒１１のハスバ歯と窪み部１２の内周壁との間に保持溝２２が形成される。竿帯３の先端は該保持溝２２の帯固定駒１１の外周に一巻きに満たない任意の長さを噛み合わせて嵌め込まれ、切欠き部１４より滑らかに筒体１０の裏側外周に巻き出されている。
通常、竿帯３は十分な厚みの平滑な硬い側面と側方への柔軟性を有しており、竿の重量による張り力でその側面で筒体10を側方に移動させながらきっちりと螺旋状に巻かれ、且つ巻き戻される。
さらにここでは、竿帯３の筒体１０への巻き付け部位の裏側に縦の側案内面１５と背案内面１６を有する帯案内体１７が竿側に固定に設けられている。該帯案内体１７は水平軸９が竿帯３を巻上げる方向に回された時、筒体１０への巻付け部位に於ける竿帯３の側面と背面を案内して先に巻かれている部分への乗り上げをより効果的に防ぎ螺旋状にきっちりと巻き付けるのを助ける。
水平軸９上には筒体１０の前方側より帯案内体１７に至る筒状の案内筒１８が設けてある。該案内筒１８は筒体１０の外周に巻かれた竿帯３の外周の直径より僅かに大きい内径の内筒部１９を有し、その前方側が支持壁２０をなし該支持壁２０の中央の四角孔により水平軸９上に支持され止め輪２１で移動止めされている。該案内筒１８の後方側は開放されており、帯案内体１７の前端面に当接されている。そこで、竿帯３は筒体１０の外周に巻かれながら内筒部１９の奥いっぱいまで前方へ進入していく。竿帯３に何らかの理由で弛みや、下方からの突き上げを生ずることがあっても、内筒部１９は竿帯３が筒体１０の外周から緩んで離れることを防ぎ、竿の水平保持を堅持し竿移動保持装置
６のトラブルの発生を防ぐ。水平遮蔽羽５の帯孔を通り垂下される竿帯３と移動竿２との結合は、竿帯３の縦断面形状に合致した形状の一方の側端が開放された保持溝２２ｂを有し移動竿２の挿入孔２３に下側から差し込み嵌め込まれた結合片２４を介してなされる。
ここで、竿帯３は保持溝２２ｂの開放側から横滑りに差し込まれ結合片２４と一体化されて挿入孔２３に差し込まれる。竿帯３の背面には色分けされた目盛り１４と数字が印刷されており、一対の各竿帯３の長さを揃えやすくなっている。又、竿帯３の刻み目の位置を変えることで細かな長さの調整ができる。
軸受８の右側の水平軸９上に操作歯車２５が固定に設けてある。該操作歯車２５にはその内周に操作歯車２５の歯に対応する刻み目を有する輪状の手繰り帯２６が噛合わされて掛けられている。該手繰り帯２６の操作歯車に巻き掛けられている部位の周りはケース２７によって囲まれており、手繰り帯２６は背案内面２８の壁に沿って表側の出口部へ滑らかに導かれている。ケース２７には手繰り帯２６の緩み側２９の窪み面３０と引き側３１の表壁面３２が有り、出口部の手繰り帯の引き側３１と緩み側２９との間には分離壁３３が設けてある。操作歯車２５の下側には水平軸９周りに揺動する戻り止片３４が設けてある。該戻り止片３４は水平軸９にブッシュ３５を介して回転自在に支持された腕部３６と該腕部３６から操作歯車２５の外周側に伸びた半月状のブロック部分からなり、水平軸９に案内されて揺動する。ブロック部分の表側面には手繰り帯２６の刻み目に合致した歯３７が形成されている。該戻り止片３４はロックされていない時は自重によりストッパー３８に当たるまで後方に下がり下側位置に保たれる。通常の使用では、手繰り帯の引き側３１を下方へ引いて戻り止片３４のロックを外し、竿の重量による力で引き側３１を手で滑らしながら竿を希望の位置まで降してその位置に維持しておき、緩み側２９を下方へ引く。そこで、手繰り帯の緩み側２９が張られて戻り止片３４を仮想線のように表方へ押しやり、歯３７が引き側３１の刻み目に噛合わされる。ここで、引き側３１の手を放せば竿の重量で表壁面３２と戻り止片３４との間で手繰り帯２６がロックされ、竿はその位置に保持される。もし望むならば、戻り止片の内側に操作歯車２５側と噛合う内歯を設けると共に、揺動の支点位置を戻り止片３４が表方へ押された時にその内歯が操作歯車２５側と噛合うように案内手段を設けて手繰り帯２６を表壁面３２と間でロックするようにも出来よう。さらには、戻り止片に特に歯を設けず表壁面３２と操作歯車２５の間に入り込んだ戻り止片の楔作用により手繰り帯２６をロックするようにも出来よう。戻り止片のロック開放時における下方位置の保持は戻り止片の自重のみによらず、バネの力等によって保つようにすることが可能なことは当然である。
この竿操作手段７０は滑りがなく竿の保持が確実になされる。機構が単純で構造は簡単である。
帯案内体１７の傍に羽保持紐４を保持し操作する羽操作手段の保持リング３９がある。羽保持紐４はその表側と裏側の紐端を各々のガイドローラ４０及び４１に案内され保持リング３９の表側と裏側より巻くように掛けられてピン４２に結ばれている。該保持リング３９は割溝４３があってその弾力で筒体１０に一定の把持力で嵌まっており、筒体１０が回転する時に筒体１０との摩擦力で羽保持紐４を動かす回転力を得る。保持リング３９の両側に固定された側板４４及び４５は保持リング３９の横移動を止め、その位置に保つ。竿の上下移動操作と協動で遮蔽羽の傾け操作を行う最も簡明な羽操作手段である。
【実施例２】
【００１８】
図１０〜１１は竿帯３ａの筒体１０ａへの巻付け部の他の実施例である。
以下の実施例では、前例と同じ部分には同一の符号にａ，ｂ，ｃ，′等の添字を付して示しその説明を省略する。
ここで、筒体１０ａの外周に竿帯３ａの巻付けリードに合致した細いネジ溝４６が切ってある。一方、帯案内体１７の後方側にネジ溝４６に嵌まるメネジ部を有する筒送りナット４７が竿１ａ内に固定に設けてある。そこで、筒体１０ａは回転の際に筒送りナット４７によって水平軸９ａ上をネジ溝４６のリード、即ち竿帯３ａの巻付けリードの量の横移動を行う。これによって竿帯３ａは筒体１０ａを移動させるための側方力を生ずることなく、より軽くスムーズに筒体１０ａの外周に螺旋状に巻かれ、且つ巻き戻される。
この結果、帯案内体１７の案内面への負担が軽減され側案内面を要しない。竿帯３ａ並びに帯案内体１７の耐久性が高められる。ネジ溝４６のリードは竿帯３ａのリードと同じか僅かに大きいぐらいが適当である。
【実施例３】
【００１９】
図１２〜１６はブラインドの他の実施例である。ここで、前述の第一の実施例と異なるところは、上部竿１ｂに設けた竿移動保持装置６ｂの竿操作手段７０ｂにある。該竿操作手段は水平軸９ｂ上の中ほどの位置に移動自在に保持された操作筒体１０′と、これに螺旋状に巻き付けられた操作帯２６′及び帯案内体１７′と操作帯案内筒部１８′を有する。操作案内筒部１８′は案内筒１８ｂの反対側に対向する形に一体に形成されている。そして該案内筒１８ｂはその外側を上部竿１ｂ側に固定されており回転しない。操作筒体１０′の下には帯案内体１７′の下部に操作筒体１０′と同心の半円筒状の案内窪み４８が設けてあり、操作筒体１０′との間に半輪状の空間４９が形成されている。該空間４９内に表裏方向に揺動自在に案内される戻り止片３４′が設けてある。図１６に示す符号Ｇは戻り止片３４′の重心の位置を示している。操作帯２６′は竿帯３ｂとは逆に操作筒体１０′の表側より操作筒体１０′に巻かれており、操作筒体１０′の表側に長く垂下されてその下端は移動竿２ｂの下を回されて竿の裏側に結合片２４ｂを介して結合されている。該操作帯２６′は移動竿２ｂが一杯に下がった時に幾分の余裕が出るほどの長さになっている。帯案内体１７′の空間４９部分と戻り止片３４′は側案内面や背案内面１６′部分から前方方向に伸び出ており、戻り止片３４′の下側には刻み目のある保持溝５０が形成されており、ロック帯５１の上端が嵌め込まれて結合されている。ロック帯５１は帯案内体１７′の帯案内口52から表側へ操作帯２６′と並列に一定の長さまで垂下されている。
ブラインドが開かれている状態で、操作帯２６′を下方へ引き続けると戻り止片３４′がその重力でロック状態から外れた後、操作帯２６′は巻き戻されながら操作筒体１０′と水平軸９′及び筒体１０ｂを矢印５３の方向へ回転させる。そこで、筒体１０ｂは竿帯３ｂを巻取りながら移動竿２ｂを上昇させる。操作帯２６′を握って移動竿２ｂを希望する位置に保ったままロック帯５１を下へ引くことにより戻り止片３４′が前方へ揺動してその歯３７′が操作帯２６′と噛合い、該操作帯２６′は表側の背案内面１６′と戻り止片３４′との間に挟まれる。そこで、操作帯２６′を放せば移動竿２ｂの重量による操作筒体１０′の矢印５３と反対方向の回転力で操作帯２６′のロック状態が維持され移動竿２ｂはその位置に保持される。
この例では、移動竿の移動操作装置を含め主な可動部分は上部竿の水平軸と該軸に保持される筒体だけの簡明な壊れ難い構造のブラインドが得られる等の利点がある。
【実施例４】
【００２０】
図１７〜２０は本発明の他の実施例である。この実施例は上部竿と下部移動竿の竿移動保持装置並びに上下の羽操作手段は前述の第一の実施例と基本的に同じである。
ここでは、上部竿1ｃと該上部竿内の竿移動保持装置６ｃより垂下される竿帯３ｃによって保持される下部移動竿２ｃとの間に、各々竿帯３ｃ上に保持される第一中間竿５４と第二中間竿５５が設けてある。上部竿１ｃと第一中間竿５４間には上部羽保持紐４ｃに保持される上部水平遮蔽羽5ｃによって上部遮蔽調節面Ａｃが形成され、第二中間竿５５と下部移動竿２ｃ間には下部羽保持紐５６に保持される下部水平遮蔽羽６０によって下部遮蔽調節面Ｂが形成されている。
第一中間竿５４内には軸受５７及び５８に回転自在に支持された水平軸５９が設けてある。該水平軸５９上には竿帯３ｃに対応する位置に竿帯３ｃの刻み目に噛合う歯を有する一対の移動歯車６１が固定されており、各々対応する竿帯３ｃの刻み目に噛合わされている。水平軸５９は第一中間竿の表裏方向の幅の中心位置あり上と下の竿帯３ｃの出入口６２及び６３も同じ竿の中心位置を通っている。竿帯３ｃは移動歯車６１の表側に掛けられて竿内を通っている。竿内には竿帯３ｃを案内する案内片６４が設けてある。該案内片６４は竿内を通る竿帯３ｃの周りを確りと案内して移動歯車６１の上下の出入口６２及び６３に導き、竿帯３ｃを前述の竿の中心位置より上下に引き出すようにする。竿自体の重心の配慮と共に、下部の竿の重量によって竿帯３ｃが張られることで、その張力によっても該第一中間竿の水平保持が図られる。案内片６４は竿帯３ｃを移動歯車の位置に確りと保持し、竿帯と移動歯車の噛合い率を高め、且つ竿帯の滑らかな流れを保つ。そして竿の表裏方向の水平を保つのに有益な働きをする。
この例では、竿帯３ｃはその裏面側に刻み目を有し ている。筒体１０ｃの竿帯巻き始め側の端面の外周側に竿帯の幅より深い切欠き部１２ａが設けられている。端面側には筒体１０ｃと同じ直径の円盤でその外周側に筒体１０ｃの切欠き部１２ａ側に突出してその内側に竿帯３ｃと合致した刻み目で竿帯の巻付けリード角に合致した傾き角度のハスバ歯のラック６８を有する帯固定駒１１ａが突部１３ａに嵌められて止め輪で固定されている。そこで、該帯固定駒１１ａのラック６８と切欠き部１２ａとの間に保持溝２２ａが形成される。竿帯３ｃの先端は該保持溝２２ａに嵌め込まれ、滑らかに筒体１０ｃの裏側外周に巻き出されている。
水平軸５９上には移動歯車６１の傍に竿操作手段７０ｄが設けられている。該竿操作手段７０ｄは第一の実施例の図６及び図８に示す竿操作手段７０と同じで第一中間竿５４自らの移動と保持の操作を行うことが出来る。このようにして第一中間竿５４は上部竿１ｂの下に移動自在に保持される。
第二中間竿５５も第一中間竿５４と同じであり、水平軸５９ａ上に上部竿１ｃと同じような下部水平遮蔽羽６０の羽操作手段を備えている。
第一中間竿５４の表側と裏側の下部に竿の全横幅にわたって下方に突出するカバー部６６が設けられている。該カバー部６６は眺望遮蔽調節面Ｃを閉止した際に第一中間竿５４と第二中間竿５５間の僅かな隙間を遮る働きをすると共に両竿を確りと一体化する働きをする。従って、風などに対しても安定である。
本発明は、竿帯の巻取りについては、ここに実施例に示した筒体に螺旋状に巻取ることのみに限定されない。例えば、最も一般的に竿帯を上部竿等に設けた巻取り軸上のリールに重ね巻きに巻き取るようにしてもよい。
【実施例５】
【００２１】
図２０は前述の例の上部竿と下部の移動竿を逆にした実施例である。竿帯３ｄはその上端を上部竿２ｄ側に固定されており、移動竿５４ａは自らの竿内に設けられた竿移動保持装置６ｆにより上部竿２ｄ側との間の移動と保持がなされる。
水平遮蔽羽５ｄの操作は上部竿２ｄに設けた羽操作手段の羽操作棒６７によってなされる。
【産業上の利用可能性】
【００２２】
帯体が歯付ベルトのようなもので造られるから、竿の正確な安定した平行保持がなされ、操作が静粛で滑らかである。構成部品は大量生産に適した単純なもので、堅牢で耐久性に優れている。一対の竿帯上に複数の移動竿を設けることが可能で、自由な新しいパターンのブラインドが可能となる。
【図面の簡単な説明】
【００２３】
【図１】実施例を示すブラインドの正面図である。
【図２】図１のブラインドの右側面図である。
【図３】図１における３部分の拡大図である。
【図４】図３における４−４矢視図で一部を破断して示す図ある。
【図５】図３における５−５矢視図で筒体の端面部分を示す拡大図である。
【図６】図３における６部分の拡大図で竿操作手段部分の軸断面図ある。
【図７】図３における７−７断面図でブラインド全体の断面を示す図である。
【図８】図６における８−８断面図である。
【図９】図３における９−９断面図である。
【図１０】竿移動保持装置の他の実施例を示す竿部分の破断図である。
【図１１】図１０における１１−１１断面図である。
【図１２】他の実施例を示すブラインドの正面図である。
【図１３】図１２における１３部分の拡大図である。
【図１４】図１３における１４部分の拡大図である。
【図１５】図１４における１５−１５断面図でブラインド全体の断面を示す図である。
【図１６】図１４における１６−１６断面図である。
【図１７】他の実施例を示すブラインドの正面図である。
【図１８】図１７のブラインドの右側面図である。
【図１９】図１７における１９−１９断面図である。
【図２０】図１７における２０−２０断面図で筒体の端面部分を示す拡大図である。
【図２１】他の実施例を示すブラインドの横断面図である。
【符号の説明】
【００２４】
１、１ａ、１ｂ、１ｃ 、２ｄ      上部竿
２、２ａ、２ｂ、２ｃ，５４ａ      移動竿
３、３ａ、３ｂ、３ｃ、３ｄ        竿帯
６，６ａ，６ｂ，６ｃ、６ｄ、６ｅ、６ｆ    竿移動保持装置
２２、２２ｂ、２２ｃ、２２ｄ      結合手段
７０、７０ａ、７０ｂ、７０ｃ                竿操作手段
９、９ａ、９ｂ、９ｃ、５９、５９ａ、５９ｂ   水平軸
１０，１０ａ，１０ｂ、１０ｃ、１０′        筒体
６１、６１ａ、６１ｂ        移動歯車
１７、１７′               
帯案内体
１８、１８ｂ、１８′        案内筒
４６         
ネジ溝
４７         
筒送りナット
２５         
操作歯車
２６         
手繰り帯
【図１】
2005133287.tif 000003
【図２】
2005133287.tif 000004
【図３】
2005133287.tif 000005
【図４】
2005133287.tif 000006
【図５】
2005133287.tif 000007
【図６】
2005133287.tif 000008
【図７】
2005133287.tif 000009
【図８】
2005133287.tif 000010
【図９】
2005133287.tif 000011
【図１０】
2005133287.tif 000012
【図１１】
2005133287.tif 000013
【図１２】
2005133287.tif 000014
【図１３】
2005133287.tif 000015
【図１４】
2005133287.tif 000016
【図１５】
2005133287.tif 000017
【図１６】
2005133287.tif 000018
【図１７】
2005133287.tif 000019
【図１８】
2005133287.tif 000020
【図１９】
2005133287.tif 000021
【図２０】
2005133287.tif 000022
【図２１】
2005133287.tif 000023
【手続補正書】
【提出日】平成16年6月28日(2004.6.28)
【手続補正１】
【補正対象書類名】特許請求の範囲
【補正対象項目名】全文
【補正方法】変更
【補正の内容】
【特許請求の範囲】
【請求項１】
上部竿と、該上部竿の下部で一対の竿保持体により上部竿との間で相対移動可能に保持される少なくとも一本の移動竿と、相対する前記竿間に垂下される羽保持紐に保持される少なくとも一面の水平遮蔽羽の遮蔽調節面を備えるブラインドにおいて、上部竿と移動竿の間に一対の歯付ベルトのような刻み目付の竿帯を設け、少なくとも前記上部竿と前記移動竿のいずれか一方の竿側に前記刻み目付竿帯の一方の端側を保持する竿移動保持装置とその竿操作手段を設け、他方の竿側に前記刻み目付竿帯の他方の端側を結合し前記竿操作手段により前記刻み目付竿帯を介して前記上部竿と前記移動竿間の相対移動と保持を行うことを特徴とする水平遮蔽羽のブラインド。
【請求項２】
竿内に軸受に回転自在に保持され竿操作手段に結合された水平軸と、前記水平軸上の刻み目付竿帯に対応する位置に軸方向移動自在かつ同時回転するように保持されその外周に前記刻み目付竿帯の一方端側を螺旋状に巻き付けて保持する筒体を有する竿移動保持装置を備えることを特徴とする請求項１記載の水平遮蔽羽のブラインド。
【請求項３】
竿内に軸受に回転自在に保持され竿操作手段に結合された水平軸と、前記水平軸上の刻み目付竿帯に対応する位置に軸方向移動自在かつ同時回転するように保持されその外周に前記刻み目付竿帯の一方端側を螺旋状に巻き付けて保持すると共に、その外周に小さくとも前記刻み目付竿帯の巻付けリードに合致したネジ溝を設け、前記刻み目付竿帯の巻付け部位の後方側に前記ネジ溝に適合して嵌まるメネジ部を有する筒送りナットを竿側に固定に設けた竿移動保持装置を備えることを特徴とする請求項１記載の水平遮蔽羽のブラインド。
【請求項４】
上部竿より垂下される一対の刻み目付竿帯上に移動可能に保持される移動竿と、前記移動竿内に軸受に回転自在に保持され竿操作手段に結合された水平軸と、前記水平軸上の前記刻み目付竿帯に対応する位置に固定されて前記一対の刻み目付竿帯に噛合う一対の移動歯車を有する竿移動保持装置を備えることを特徴とする請求項１記載の水平遮蔽羽のブラインド。
【請求項５】
水平軸の一部に固定された操作歯車と、その内周に前記操作歯車の歯に対応する刻み目を有し前記操作歯車の外周に噛合わされて掛けられ引き側と弛み側を有する手繰り帯と、前記操作歯車の下位の前記手繰り帯の弛み側の内側位置に案内手段により前記操作歯車の周りで揺動可能に保持された戻り止片と、前記操作歯車の手繰り帯の引き側のケース部に形成される表壁面を備え、前記手繰り帯の引き側で移動竿の位置を決め、前記手繰り帯の弛み側で前記戻り止片を表方へ押し、移動竿の重力で前記手繰り帯を前記表壁面と前記戻り止片の間でロックする竿操作手段を備えることを特徴とする請求項２および３および４記載の水平遮蔽羽のブラインド。
【手続補正書】
【提出日】平成16年6月28日(2004.6.28)
【手続補正１】
【補正対象書類名】明細書
【補正対象項目名】全文
【補正方法】変更
【補正の内容】
【発明の詳細な説明】
【技術分野】
【０００１】
本発明は、建物の窓部に面して上部に設けた上部竿の下に上下に移動調節の出来る移動竿を有し、該上部竿と移動竿間に多数の水平遮蔽羽（スラット）を備え、これら多数の遮蔽羽を各々その水平軸線の周りに一斉に回動せしめてその傾きの方向とその傾きの強弱によって遮蔽機能の調節を行うようにした遮蔽調節面を備えるブラインドに関し、特に移動竿の移動と保持のための新規な竿移動保持装置並びに該竿移動保持装置からなる新規なブラインドに関する。
【背景技術】
【０００２】
従来、ブラインドの移動竿は上部の固定竿内に設けた竿移動装置より垂下された昇降紐や、薄い金属性テープにより上下の調節と保持が行われるものが一般に広く普及している。
また、ブラインドの両端側にチェインやベルト、あるいは、ラック状のものを設けて移動竿を上下に移動せしめ、且つ、保持せしめるようにしたブラインド等がこれまで提案されている。
さらに、この種のブラインドには、採光や眺望と部屋内部の目隠しという相反する課題を解決すべく、ブラインドを上下に分離して独立して操作するもの、遮蔽羽の傾きを部分的に操作するもの、あるいはブラインド面の上部や中間部を開けられるもの等これまで多くの提案がなされてきた。
【発明の開示】
【発明が解決しようとする課題】
【０００３】
従来の、固定竿内の移動保持装置よりブラインド面内を垂下した昇降紐や、薄いテープにより移動竿の移動と保持を行うものは、移動竿と遮蔽羽の重量により昇降紐等が張られている。昇降紐等は伸びやすく、且つ、弛みに対する抵抗力がなく竿の水平維持の調整が難しい。従って、移動の正確さや確実性の点でも十分でない。昇降紐や薄いテープは弛みによるトラブルを起こしやすい等の欠点がある。さらに、ブラインド面内に複数本の移動竿を備え上下に独立した複数の遮蔽調節面を有するものでは、昇降紐の数が増え複雑になる欠点がある。
本発明の目的は、この種のブラインドにおける前述のような欠点に鑑み、移動竿の正確で安定した平行保持と、静粛で滑らかな昇降移動操作の出来る竿移動保持装置を備えるブラインドを提供するにある。
本発明の他の目的は、同一大量生産に適した構造からなり、保持体の弛みによるトラブル等を起し難い、堅牢で、耐久性に優れた竿移動保持装置を備えるブラインドを提供するにある。
本発明のさらに他の目的は、複数の移動竿の移動と保持に適した竿移動保持装置を備え、自由な新しい遮蔽パターン面を持ったブラインドを提供するにある。
本発明のさらに他の目的は、窓部におけるその高さ位置、並びにその開き量の設定が簡単、且つ、細かに出来る眺望遮蔽調節面を備えるブラインドを提供するにある。
【課題を解決するための手段】
【０００４】
上記目的を達成するために、本発明のブラインドにおいては、上部竿と、該上部竿の下部で一対の竿保持体により上部竿との間で相対移動可能に保持される少なくとも一本の移動竿と、相対する前記竿間に垂下される羽保持紐に保持される少なくとも一面の水平遮蔽羽の遮蔽調節面を備えるブラインドにおいて、上部竿と移動竿の間に一対の歯付ベルトのような刻み目付の竿帯を設け、少なくとも前記上部竿と前記移動竿のいずれか一方の竿側に前記刻み目付竿帯の一方の端側を保持する竿移動保持装置とその竿操作手段を設け、他方の竿側に前記刻み目付竿帯の他方の端側を結合し前記竿操作手段により前記刻み目付竿帯を介して前記上部竿と前記移動竿間の相対移動と保持を行うものである。
【０００５】
また、上記竿移動保持装置は、竿内に軸受に回転自在に保持され竿操作手段に結合された水平軸と、該水平軸上の竿帯に対応する位置に軸方向移動自在かつ同時回転するように保持された筒体を設け、該筒体の外周に刻み目付竿帯の一方の端側を螺旋状に巻き付けて保持するように構成することが出来る。
【０００６】
そして、帯体の筒体への巻き付け部位に側案内面、あるいは、背案内面を竿内に固定に設け帯体を案内して筒体にきっちりと巻き付けるのを助けるようにすることが好ましい。
【０００７】
さらに、筒体の前方側より帯体の巻き付け部位近くに至る長さの帯体巻付け部の外側を僅かに大きく囲む内筒部を有する案内筒を設けることがより好ましい。
【０００８】
さらに、上記竿移動保持装置は、竿内に軸受に回転自在に保持され竿操作手段に結合された水平軸と、前記水平軸上の刻み目付竿帯に対応する位置に軸方向移動自在かつ同時回転するように保持されその外周に刻み目付竿帯の一方端側を螺旋状に巻き付けて保持すると共に、その外周に小さくとも前記刻み目付竿帯の巻付けリードに合致したネジ溝を設け、前記刻み目付竿帯の巻付け部位の後方側に前記ネジ溝に適合して嵌まるメネジ部を有する筒送りナットを竿側に固定に設けることも出来る。
【０００９】
そして、筒体の刻み目付竿帯の巻き始め側の端部に前記刻み目付竿帯の刻み目に合致した刻み目でその巻付けリード角に合致した傾き角度のハスバ歯の溝からなる刻み目付竿帯の先端の保持溝手段を設けるとよい。
【００１０】
さらに、上記竿移動保持装置は、上部竿より垂下される一対の刻み目付竿帯上に移動可能に保持される移動竿と、前記移動竿内に軸受に回転自在に保持され竿操作手段に結合された水平軸と、前記水平軸上の前記刻み目付竿帯に対応する位置に固定されて前記刻み目付竿帯に噛合う一対の移動歯車を備えものとすることも出来る。
【００１１】
また、上記竿操作手段としては、水平軸の一部に固定された操作歯車と、その内周に前記操作歯車の歯に対応する刻み目を有し前記操作歯車の外周に噛合わされて掛けられ、引き側と弛み側を有する手繰り帯と、前記操作歯車の下位の前記手繰り帯の弛み側の内側位置に案内手段により前記操作歯車の周りで揺動可能に保持された戻り止片と、操作歯車の手繰り帯の引き側のケース部に形成される表壁面を備え、手繰り帯の引き側で移動竿の位置を決め、手繰り帯の弛み側で前期戻り止片を表方へ押し、移動竿の重力で手繰り帯を前記表壁面と戻り止片の間でロックするようにすることが出来る。
【００１２】
さらに、上記竿操作手段として、水平軸上に軸方向に移動自在かつ同時回転するように保持された操作筒体と、その一方端側を前記操作筒体の外周に筒体の刻み目付竿帯とは逆向きに螺旋状に巻き付けられその他方側が前記操作筒体の表側に長く垂下された刻み目付操作帯と、前記操作筒体の下の空間内で案内手段により表裏方向に揺動自在に案内されその表側面に前記刻み目付操作帯の刻み目に合致した歯を有しその一部に前記刻み目付操作帯と並列に一定の長さまで垂下されるロック帯が結合された戻り止片と、前記操作筒体の操作帯の引き側の帯案内体側に形成される背案内面を備え、刻み目付操作帯で移動竿の位置を決め、ロック帯で前記戻り止片を前方へ動かし、移動竿の重量による力で刻み目付操作帯を前記背案内面と戻り止片の間でロックするようにすることも出来る。
【００１３】
上部竿と、前記上部竿の下部の下部移動竿の間の一対の刻み目付き竿帯上に、竿移動保持装置とその操作手段を各々備える第一中間竿と第二中間竿を設け、前記上部竿と前記第一中間竿間に上部羽保持紐に保持された上部水平遮蔽羽からなる上部遮蔽調節面を、前記第二中間竿と前記下部移動竿間に下部羽保持紐に保持された下部水平遮蔽羽からなる下部遮蔽調節面を、前記第一中間竿と前記第二中間竿間に任意に間隔調節可能な眺望遮蔽調節面を備えるブラインドを得ることが出来る。
【００１４】
本発明において、帯体（竿帯及び操作帯）は一定の正確な幅と厚みを有し強い腰と柔軟性を備える例えば、細い歯付ベルトのような平たい帯状体を云う。
しかし、該竿帯の断面形状は限定的されず、角形に近いものでもよく圧縮、引張りに対して変形せず強い抗力を有するものである。又、必ずしも限定されないが、歯付ベルトのようにその表面ないし裏面あるいは両面に一定のピッチの刻み目が設けられている。
この刻み目は竿帯の厚みに比較した曲げの柔軟性を得ると共に、歯車による移動を可能にする。
【発明の効果】
【００１５】
帯体が寸法精度が高く、引張りと圧縮に強く、折れ難い歯付ベルトのようなもので造られるから、竿の正確な安定した平行保持がなされる。又、柔軟性に富んだ硬質のゴム材やプラスチック材からなるので、操作が静粛で滑らかである。
帯体が正確な幅と一定の厚みを有しており、且つ、柔軟性を有するので細い筒体への螺旋状巻きが可能で細い竿寸法を可能にする。
構成部品は大量生産に適した単純なものであり、堅牢で耐久性に優れた竿移動保持装置を得ることが出来る。
一対の竿帯上に複数の移動竿を設けることが可能で、例えば、上下の独立した遮蔽調節面の間に眺望遮蔽調節面を備えるブラインドなど、自由なパターンのブラインドの設定が可能となる等の効果が得られる。
【発明を実施するための最良の形態】
【００１６】
竿保持体として細い歯付ベルトをブラインド面内を通して設け、移動竿の上下移動と保持に用いることで、水平保持が正確で、静粛で、堅牢な竿移動保持装置が得られる。
又、一対の竿帯で複数本の移動竿を保持することが出来、新しいパターンのブラインドが可能となる。
【実施例１】
【００１７】
図１〜９において、窓枠の上部の壁に金具等を介して固定に取り付けられている上部竿1の下に、移動竿２が上部竿1から垂下されている一対の竿帯３により所望の間隔で保持されている。上部竿１から移動竿２に垂下される一対の羽保持紐４には、水平遮蔽羽５が保持されている。竿帯３は水平遮蔽羽５の帯孔を通って移動竿２に至っている。上部竿1内には竿移動保持装置６が設けてある。
上部竿1内には軸受７と８に支持される一本の水平軸９が設けてある。該水平軸９は四角の軸断面を有している。該水平軸９上には竿帯３に対応する位置に一対の筒体１０がその軸心の四角孔で水平軸上を滑り移動可能に、且つ、軸と同時回転するように設けてある。竿帯３は正確な幅と厚さの強靭で柔軟な平形の帯材からなっている。ここでは、その表面側に刻み目を有する歯付ベルトである。その先端は図４〜５に示すように、筒体１０の竿帯の巻き始め側に形成される保持溝２２により固定される。筒体１０の端面に円形の窪み部１２が設けてある。該窪み部１２の中心部分は四角孔の外側を囲むように窪み部の底部より四角形のボス状に突出する突部１３になっている。帯固定駒１１は外周に竿帯３と合致した刻み目で竿帯の巻付けリード角に合致した傾き角度のハスバ歯の歯車で、中心部分は突部１３に嵌まる四角孔になっており、突部１３に止め輪で固定されている。帯固定駒１１のハスバ歯の歯面と窪み部１２の内周壁との間に保持溝２２が形成される。竿帯３の先端は該保持溝２２の帯固定駒１１の外周に一巻きに満たない任意の長さを噛み合わせて嵌め込まれ、切欠き部１４より滑らかに筒体１０の裏側外周方向に巻き出されている。
通常、竿帯３は十分な厚みの平滑な硬い側面と側方への柔軟性を有しており、竿の重量による張り力でその側面で筒体10を側方に移動させながらきっちりと螺旋状に巻かれ、且つ巻き戻される。
さらに、ここでは、竿帯３の筒体１０への巻き付け部位の裏側に縦の側案内面１５と背案内面１６を有する帯案内体１７が竿側に固定に設けられている。該帯案内体１７は水平軸９が竿帯３を巻上げる方向に回された時に、筒体１０への巻付け部位に於ける竿帯３の側面と背面を案内して、先に巻かれている部分への乗り上げをより効果的に防ぎ、螺旋状にきっちりと巻かれるのを助ける。
また、水平軸９上には筒体１０の前方側より帯案内体１７に至る筒状の案内筒１８が設けてある。該案内筒１８は筒体１０の外周に巻かれた竿帯３の外周の直径より僅かに大きい内径の内筒部１９を有し、その前方側が支持壁２０をなし、該支持壁２０の中央の四角孔により水平軸９上に支持されて止め輪２１で移動止めされている。該案内筒１８の後方側は開放されており、帯案内体１７の前端面に当接されている。そこで、竿帯３は筒体１０の外周に巻かれながら、案内筒の内筒部１９の奥いっぱいまで前方へ進入していく。これにより、竿帯３に何らかの理由で弛みや、下方からの突き上げを生ずることがあっても、内筒部１９は竿帯３が筒体１０の外周から緩んで離れることを防ぎ、竿の水平保持を堅持して竿移動保持装置
６のトラブルの発生を防ぐことが出来る。水平遮蔽羽５の帯孔を通り垂下される竿帯３と移動竿２との結合は、竿帯３の縦断面形状に合致した形状の一方の側端が開放された保持溝２２ｂを有し、移動竿２の挿入孔２３に下側から差し込んで嵌め込まれた結合片２４を介してなされている。
ここで、竿帯３は保持溝２２ｂの開放側から横滑りに差し込まれ、結合片２４と一体化されて挿入孔２３に差し込まれる。竿帯３の背面には色分けされた目盛り１４と数字が印刷されており、一対の各竿帯３の長さを揃えやすくなっている。又、竿帯３の刻み目の位置を変えることで細かな長さの調整ができる。
軸受８の右側の水平軸９上に操作歯車（操作回転体）２５が固定に設けてある。該操作歯車２５にはその内周に操作歯車２５の歯に対応する刻み目を有する輪状の手繰り帯２６が噛合わされて掛けられている。該手繰り帯２６の操作歯車に巻き掛けられている部位の周りはケース２７によって囲まれており、手繰り帯２６は背案内面２８の壁に沿って表側の出口部へ滑らかに導かれている。ケース２７には手繰り帯２６の緩み側２９の窪み面３０と引き側３１の表壁面３２が有り、出口部の手繰り帯の引き側３１と緩み側２９との間には分離壁３３が設けてある。操作歯車２５の下側には水平軸９周りに揺動する戻り止片３４が設けてある。該戻り止片３４は水平軸９にブッシュ３５を介して回転自在に支持された腕部３６と、該腕部３６から操作歯車２５の外周側に伸びた半月状のブロック部分からなり、水平軸９に案内されて揺動する。ブロック部分の表側面には手繰り帯２６の刻み目に合致した歯３７が形成されている。該戻り止片３４は、ロックされていない時は自重によりストッパー３８に当たるまで後方に下がり、下側位置に保たれる。通常の使用では、手繰り帯の引き側３１を下方へ引いて戻り止片３４のロックを外し、竿の重量による力で引き側３１を手で滑らしながら竿を希望の位置まで降してその位置に維持しておき、緩み側２９を下方へ引く。そこで、手繰り帯の緩み側２９が張られて戻り止片３４を仮想線のように表方へ押しやり、歯３７が引き側３１の刻み目に噛合わされる。ここで、引き側３１の手を放せば、竿の重量で表壁面３２と戻り止片３４との間で手繰り帯２６がロックされ、竿はその位置に保持される。もし望むならば、戻り止片の内側に操作歯車２５側と噛合う内歯を設けると共に、案内手段の揺動の支点位置を戻り止片３４が表方へ押された時にその内歯が操作歯車２５側と噛合うように設けて、手繰り帯２６を表壁面３２と間でロックするようにすることも出来よう。さらには、戻り止片に特に歯を設けず、表壁面３２と操作歯車２５の間に入り込んだ戻り止片の楔作用により手繰り帯２６をロックするようにも出来よう。戻り止片のロック開放時における下方位置の保持は、戻り止片の自重のみによらず、バネの力等によって保つようにすることが可能なことは当然である。
この竿操作手段７０は滑りがなく、竿の保持が確実になされる。機構が単純で構造は簡単である。
帯案内体１７の傍に、羽保持紐４を保持し操作する羽操作手段の保持リング３９が設けてある。羽保持紐４はその表側と裏側の紐端を各々のガイドローラ４０及び４１に案内され保持リング３９の表側と裏側より巻くように掛けられてピン４２に結ばれている。該保持リング３９には割溝４３があって、その弾力で筒体１０に一定の把持力で嵌まっており、筒体１０が回転する時に筒体１０との摩擦力で羽保持紐４を動かす回転力を得る。保持リング３９の両側に固定された側板４４及び４５は保持リング３９の横移動を止め、その位置に保つ。竿の上下移動操作と協動で遮蔽羽の傾け操作を行う最も簡明な羽操作手段である。
【実施例２】
【００１８】
図１０〜１１は竿帯３ａの筒体１０ａへの巻付け部の他の実施例である。
以下の実施例では、前例と同じ部分には同一の符号にａ、ｂ、ｃ、′等の添字を付して示し、その説明を省略する。
ここで、筒体１０ａの外周に竿帯３ａの巻付けリードに合致した細いネジ溝４６が切ってある。一方、帯案内体１７aの後方側にネジ溝４６に嵌まるメネジ部を有する筒送りナット４７が竿１ａ内に固定に設けてある。そこで、筒体１０ａは回転の際に筒送りナット４７によって水平軸９ａ上をネジ溝４６のリード、即ち、竿帯３ａの巻付けリードの量のだけ横移動を行う。これによって、竿帯３ａには筒体１０ａを移動させるための側方力を生ずることなく、より軽くスムーズに筒体１０ａの外周に螺旋状に巻かれ、且つ巻き戻される。この結果、帯案内体１７aの案内面への負担が軽減され、側案内面を必要としない。    竿帯３ａ並びに帯案内体１７aの耐久性が高められる。ネジ溝４６のリードは竿帯３ａのリードと同じか僅かに大きいぐらいが適当である。
【実施例３】
【００１９】
図１２〜１６はブラインドの他の実施例である。ここで、前述の第一の実施例と異なるところは、上部竿１ｂに設けた竿移動保持装置６ｂの竿操作手段７０ｂにある。該竿操作手段は水平軸９ｂ上の中ほどの位置に移動自在に保持された操作筒体（操作回転体）１０′と、これに螺旋状に巻き付けられた操作帯２６′及び帯案内体１７′と操作帯案内筒部１８′を有する。操作案内筒部１８′は案内筒１８ｂの反対側に対向する形に一体に形成されている。そして、該案内筒１８ｂはその外側を上部竿１ｂ側に固定されており、回転しない。操作筒体１０′の下には帯案内体１７′の下部に操作筒体１０′と同心の半円筒状の案内窪み４８が設けてあり、操作筒体１０′との間に半輪状の空間４９が形成されている。該空間４９内に表裏方向に揺動自在に案内される戻り止片３４′が設けてある。図１６に示す符号Ｇは戻り止片３４′の重心の位置を示している。操作帯２６′は竿帯３ｂとは逆に操作筒体１０′にその表側より巻かれている。操作帯２６′の操作筒体１０′の表側に長く垂下される部分の下端は移動竿２ｂの下を回されて該竿の裏側に結合片２４ｂを介して結合されている。該操作帯２６′は移動竿２ｂが一杯に下がった時に幾分の余裕が出るほどの長さになっている。帯案内体１７′の空間４９部分と戻り止片３４′は側案内面１５′や背案内面１６′部分から前方方向に伸び出ている。戻り止片３４′の下側には刻み目のある保持溝５０が形成されており、ロック帯５１の上端が該保持溝５０に嵌め込まれて結合されている。ロック帯５１は帯案内体１７′の帯案内口５２から表側へ操作帯２６′と並列に一定の長さまで垂下されている。
ブラインドが開かれている状態で、操作帯２６′を下方へ引き続けると、戻り止片３４′がその重力でロック状態から外れた後、操作帯２６′は巻き戻されながら操作筒体１０′と水平軸９ｂ及び筒体１０ｂを矢印５３の方向へ回転させる。そこで、筒体１０ｂは竿帯３ｂを巻取りながら移動竿２ｂを上昇させる。操作帯２６′を握って移動竿２ｂを希望する位置に保ったままロック帯５１を下へ引くことにより、戻り止片３４′が前方へ揺動してその歯３７′が操作帯２６′と噛合い、該操作帯２６′は表側の背案内面１６′と戻り止片３４′との間に挟まれる。そこで、操作帯２６′を放せば移動竿２ｂの重量による操作筒体１０′の矢印５３と反対方向の回転力で操作帯２６′のロック状態が維持され、移動竿２ｂはその位置に保持される。
この例では、移動竿の移動操作装置を含め主な可動部分は上部竿の水平軸と該軸に保持される筒体だけの簡明な壊れ難い構造のブラインドが得られる等の利点がある。
【実施例４】
【００２０】
図１７〜２０は本発明の他の実施例である。この実施例は上部竿と下部移動竿の竿移動保持装置、並びに、上下の羽操作手段は前述の第一の実施例と基本的に同じである。
ここでは、上部竿１ｃと該上部竿１ｃ内の竿移動保持装置６ｃより垂下される竿帯３ｃによって保持される下部移動竿２ｃとの間に、各々竿帯３ｃ上に保持される第一中間竿５４と第二中間竿５５の中間移動竿が設けてある。上部竿１ｃと第一中間竿５４間には上部羽保持紐４ｃに保持される上部水平遮蔽羽５ｃによって上部遮蔽調節面Ａｃが形成され、第二中間竿５５と下部移動竿２ｃ間には下部羽保持紐５６に保持される下部水平遮蔽羽６０によって下部遮蔽調節面Ｂが形成されている。
第一中間竿５４内には軸受５７及び５８に回転自在に支持された水平軸５９が設けてある。該水平軸５９上には竿帯３ｃに対応する位置に該竿帯３ｃの刻み目に噛合う歯を有する一対の移動歯車６１が固定されており、各々対応する竿帯３ｃの刻み目に噛合わされている。水平軸５９は第一中間竿の表裏方向の幅の中心位置あり、上と下の竿帯３ｃの出入口６２及び６３も同じ竿の中心位置を通っている。竿帯３ｃは移動歯車６１の表側に掛けられて竿内を通っている。竿内には竿帯３ｃを案内する案内片６４が設けてある。該案内片６４は竿内を通る竿帯３ｃの周りを確りと案内して移動歯車６１の上下の出入口６２及び６３に導き、竿帯３ｃを前述の竿の中心位置より上下に引き出すようにする。竿自体の重心の配慮と共に、下部の竿の重量によって竿帯３ｃが張られることで、その張力によっても該第一中間竿の水平保持が図られる。案内片６４は竿帯３ｃを移動歯車の位置に確りと保持し、竿帯と移動歯車の噛合い率を高め、且つ、竿帯の滑らかな流れを保つ。そして、竿の表裏方向の水平を保つのに有益な働きをする。
この例では、竿帯３ｃはその裏面側に刻み目を有し ている。筒体１０ｃの竿帯巻き始め側の端部には、その外周側に竿帯の幅より深い切欠き部１２ａが設けられている。そしてその端面には筒体１０ｃと同じ直径の円盤状の帯固定駒１１ａが突部１３ａに嵌められて止め輪で固定されている。該帯固定駒１１ａは、その外周側に筒体の切欠き部１２ａ側に突出してその内側に竿帯３ｃと合致した刻み目のラック６８を有する。該ラック６８は竿帯の巻付けリード角に合致した傾き角度のハスバ歯になっている。そこで、該帯固定駒１１ａのラック６８と切欠き部１２ａとの間に保持溝２２ａが形成される。竿帯３ｃの先端は該保持溝２２ａに嵌め込まれ、滑らかに筒体１０ｃの裏側外周に巻き出されている。
第一中間竿５４の水平軸５９上には移動歯車６１の傍に竿操作手段７０ｄが設けられている。該竿操作手段７０ｄは第一の実施例の図６、及び図８に示す竿操作手段７０と同じで、第一中間竿５４自らの移動と保持の操作を行うことが出来る。このようにして第一中間竿５４は上部竿１ｂの下に移動自在に保持される。
第二中間竿５５も第一中間竿５４と同じである。水平軸５９ａ上には上部竿１ｃと同じような下部水平遮蔽羽６０の羽操作手段を備えている。
第一中間竿５４の表側と裏側の下部に竿の全横幅にわたって下方に突出するカバー部６６が設けられている。該カバー部６６は眺望遮蔽調節面Ｃを閉止した際に、第一中間竿５４と第二中間竿５５間の僅かな隙間を遮る働きをすると共に、両竿を確りと一体化する働きをする。従って、風などに対しても安定である。
本発明は、刻み目付き竿帯の巻取りについては、ここに実施例に示した筒体に螺旋状に巻取ることのみに限定されない。例えば、最も一般的に、刻み目付き竿帯を上部竿等に設けた巻取り軸上のリールに重ね巻きに巻き取るようにしてもよい。
【実施例５】
【００２１】
図２１は前述の実施例の上部竿と下部の移動竿を逆にして取り付けた実施例である。竿帯３ｄはその上端を上部竿２ｄ側に固定されており、移動竿５４ａは自らの竿内に設けられた竿移動保持装置６ｆにより上部竿２ｄ側との間の移動と保持がなされる。
水平遮蔽羽５ｄの操作は上部竿２ｄに設けた羽操作手段の羽操作棒６７によってなされる。
【産業上の利用可能性】
【００２２】
帯体が歯付ベルトのようなもので造られるから、竿の正確な安定した平行保持がなされ、操作が静粛で滑らかである。構成部品は大量生産に適した単純なもので、堅牢で耐久性に優れている。一対の竿帯上に複数の移動竿を設けることが可能で、自由な新しいパターンのブラインドが可能となる。
【図面の簡単な説明】
【００２３】
【図１】実施例を示すブラインドの正面図である。
【図２】図１のブラインドの右側面図である。
【図３】図１における３部分を断面にして示した拡大図である。
【図４】図３における４−４矢視図で一部を破断して示す図ある。
【図５】図３における５−５矢視図で筒体の端面部分を示す拡大図である。
【図６】図３における６部分の拡大図で竿操作手段部分の水平軸に平行な断面図ある。
【図７】図３における７−７断面図でブラインド全体の断面を示す図である。
【図８】図６における８−８断面図である。
【図９】図３における９−９断面図である。
【図１０】竿移動保持装置の他の実施例を示す竿部分の破断図である。
【図１１】図１０における１１−１１断面図である。
【図１２】他の実施例を示すブラインドの正面図である。
【図１３】図１２における１３部分の拡大図である。
【図１４】図１３における１４部分の拡大図である。
【図１５】図１４における１５−１５断面図でブラインド全体の断面を示す図である。
【図１６】図１４における１６−１６断面図である。
【図１７】他の実施例を示すブラインドの正面図である。
【図１８】図１７のブラインドの右側面図である。
【図１９】図１７における１９−１９断面図である。
【図２０】図１７における２０−２０断面図で筒体の端面部分を示す拡大図である。
【図２１】他の実施例を示すブラインドの側面断面図である。
【符号の説明】
【００２４】
１、１ａ、１ｂ、１ｃ、２ｄ  上部竿
２、２ａ、２ｂ、２ｃ、５４ａ  移動竿
３、３ａ、３ｂ、３ｃ、３ｄ  竿帯
６、６ａ、６ｂ、６ｃ、６ｄ、６ｅ、６ｆ  竿移動保持装置
９、９ａ、９ｂ、９ｃ、５９、５９ａ、５９ｂ  水平軸
１０、１０ａ、１０ｂ、１０ｃ  筒体
１０′  操作筒体（操作回転体）
１１、１１ａ  帯固定駒
１２  窪み部
１２ａ  切欠き部
１３、１３ａ  突部
１４  切欠き部
１５、１５′  側案内面
１６、１６′  背案内面
１７、１７ａ、１７′  帯案内体
１８、１８ｂ、１８′  案内筒
２２、２２ａ、２２ｂ、２２ｃ、２２ｄ、５０ 保持溝
２４、２４ｂ  結合片
２５  操作歯車（操作回転体）
２６、２６′、２６ｃ、２６ｄ、２６ｅ、２６ｆ  手繰り帯
２９、２９ａ  緩み側
３１、３１ａ  引き側
３２  表壁面
３４、３４′  戻り止片
３７、３７′  歯
４６  ネジ溝
４７  筒送りナット
４８  案内窪み
５１  ロック帯
６１、６１ａ、６１ｂ  移動歯車
６８  ラック
７０、７０ａ、７０ｂ、７０ｃ、７０ｄ、７０ｅ  竿操作手段
【手続補正書】
【提出日】平成16年7月2日(2004.7.2)
【手続補正１】
【補正対象書類名】図面
【補正対象項目名】全図
【補正方法】変更
【補正の内容】
【図１】
2005133287.tif 000024
【図２】
2005133287.tif 000025
【図３】
2005133287.tif 000026
【図４】
2005133287.tif 000027
【図５】
2005133287.tif 000028
【図６】
2005133287.tif 000029
【図７】
2005133287.tif 000030
【図８】
2005133287.tif 000031
【図９】
2005133287.tif 000032
【図１０】
2005133287.tif 000033
【図１１】
2005133287.tif 000034
【図１２】
2005133287.tif 000035
【図１３】
2005133287.tif 000036
【図１４】
2005133287.tif 000037
【図１５】
2005133287.tif 000038
【図１６】
2005133287.tif 000039
【図１７】
2005133287.tif 000040
【図１８】
2005133287.tif 000041
【図１９】
2005133287.tif 000042
【図２０】
2005133287.tif 000043
【図２１】
2005133287.tif 000044